(57)【要約】　　　（修正有）【課題】電気接続箱の組立に際し、アッパーケースとロアケースとの間に介在される絶縁板の組み付け忘れを確実に防止する。【解決手段】バスバー１４を挟持するように内装して組み合わされるアッパーケース１２およびロアケース１３と、その間に介在される絶縁板１５とを備えた電気接続箱１１であって、アッパーケース１２およびロアケース１３には、両者の正規の組み合わせ位置において絶縁板１５の挿通を可能とする係合部１７、１８を設ける。そして、係合部１７、１８の係止孔１７ａ、１８ａに絶縁板１５を挿通することにより、絶縁板１５の所要位置への配置と、アッパーケース１２とロアケース１３とを嵌合固定している。【選択図】　図３
2004023893.tif 000002
【特許請求の範囲】
【請求項１】
バスバーを挟持するように内装して組み合わされるアッパーケースおよびロアケースと、該アッパーケースとロアケースとの間に介在される絶縁板とを備えた電気接続箱であって、
上記アッパーケースおよびロアケースには、該アッパーケースとロアケースが正規の組み合わせ位置において上記絶縁板の挿通を可能とする係合部を設けると共に、該係合部に上記絶縁板が挿通されることにより該絶縁板を介して上記アッパーケースとロアケースとを嵌合固定していることを特徴とする電気接続箱。
【請求項２】
上記係合部は上記絶縁板を挿通可能な係止孔を備え、該絶縁板には上記係止孔に対する正規の挿通位置において上記係止孔の口縁部に係合して絶縁板を抜け止め状態に保持するための係止突起を突設している請求項１に記載の電気接続箱。
【発明の詳細な説明】
【０００１】
【発明の属する技術分野】
本発明は電気接続箱に関し、詳しくは電気接続箱を組み立てる際に絶縁板の装着忘れを防止するようにしたものである。
【０００２】
【従来の技術】
従来自動車に用いる電気接続箱において、内部回路を構成する方式として図６（Ａ）（Ｂ）に示すように、縦バスバー方式を採用したものが知られている。このような電気接続箱１は、合成樹脂製のアッパーケース２およびロアケース３と、両者間に挟持される複数の縦バスバー４と、上下に分断された分断縦バスバー４ａ間を仕切る絶縁板５から構成されている。縦バスバー４は、その一端または両端に相手側コネクタと接続するためのオスタブ４ｂが形成され、組み付けに際しては、アッパーケース２およびロアケース３の上下面に形成された接続部２ａ、３ａの一方または両方に挿入配置される。
【０００３】
電気接続箱１の組み立てに際しては、図７に示すように、予め縦バスバー４をアッパーケース２とロアケース３の両方または一方に装着しておき、分断縦バスバー４ａの分断個所に対応する部分に絶縁板５を介在させた後、図８に示すように、アッパーケース２とロアケース３とを嵌合させるようにしている。その際、アッパーケース２とロアケース３とは、両者の外周壁に設けた係止爪６ａと受片６ｂとからなるロック手段６によって固定するようにしている。
【０００４】
【発明が解決しようとする課題】
上記のように従来の組立構造では、アッパーケース２とロアケース３との嵌合固定は両者間に設けたロック手段６で直接行うようにしている。このため、例えば、アッパーケース２とロアケース３との間に介在すべき絶縁板５の組み付け忘れが発生しても、気づかずにアッパーケース２とロアケース３が嵌合固定される恐れがあった。
【０００５】
本発明は上記問題に鑑みてなされたもので、電気接続箱の組立に際し、アッパーケースとロアケースとの間に介在される絶縁板の組み付け忘れを確実に防止できる電気接続箱を提供することを課題としている。
【０００６】
【課題を解決するための手段】
上記課題を解決するため、本発明では、バスバーを挟持するように内装して組み合わされるアッパーケースおよびロアケースと、該アッパーケースとロアケースとの間に介在される絶縁板とを備えた電気接続箱であって、
上記アッパーケースおよびロアケースには、該アッパーケースとロアケースが正規の組み合わせ位置において上記絶縁板の挿通を可能とする係合部を設けると共に、該係合部に上記絶縁板が挿通されることにより該絶縁板を介して上記アッパーケースとロアケースとを嵌合固定するようにしたことを特徴とする電気接続箱を提供している。
【０００７】
上記構成によれば、絶縁板が正規の組み合わせ位置にあるアッパーケースとロアケースとを固定するために必要な部材とされているので、電気接続箱の組立工程において、絶縁板の組み付け忘れを確実に防止することができる。
【０００８】
具体的には、上記係合部は上記絶縁板を挿通可能な係止孔を備え、該絶縁板には上記係止孔に対する正規の挿通位置において上記係止孔の口縁部に係合して絶縁板を抜け止め状態に保持するための係止突起を突設している。
このようにすれば、アッパーケースとロアケースとの係合部に設けた係止孔に絶縁板を挿入することで、絶縁板を所要の位置に確実に配置できると同時にアッパーケースとロアケースとの固定を行うという二つの機能を奏することができる。また、係止孔に挿入された絶縁板は、係止突起が係止孔の口縁部に係合することで抜け止め状態とされるので、別途他のロック機構を設ける必要もなく構造を簡素化することができる。
【０００９】
【発明の実施の形態】
以下本発明の実施形態を図面を参照して説明する。
図１〜図５は、本発明に係る電気接続箱の実施形態を示している。
上記電気接続箱１１は合成樹脂製のアッパーケース１２およびロアケース１３と、金属製の板材を櫛状に打ち抜き形成した縦バスバー１４と、分断された分断縦バスバー１４ｃの間を仕切る合成樹脂製の絶縁板１５から構成している。
【００１０】
縦バスバー１４の端部には、図２に示すように、相手側接続部材（図示せず）と接続するためのオスタブ１４ａ、１４ｂを形成している。この縦バスバー１４は図６（Ｂ）に示す従来のものと同様に、アッパーケース１２とロアケース１３の上下間に渉って装着されるものと、上下間が分断されて、アッパーケース１２とロアケース１３の一方のみに装着される分断縦バスバー１４ｃが用意されている。
なお、図２は、分断縦バスバー１４ｃの配置個所での断面であり、アッパーケース１２とロアケース１３との間に渉って配置される他の縦バスバー１４の図示は省略している。
【００１１】
一方、アッパーケース１２の上面部およびロアケース１３の下面部には、縦バスバー１４のオスタブ１４ａ、１４ｂが隔壁１２ａ、１３ａを通して突出されると共に、相手側接続部材を受け入れるべく区割りした接続部１２ｂ、１３ｂを設けている。
なお、図中１２ｃ、１３ｃは相手側接続部材を係合固定するためのロック爪である。
【００１２】
また、アッパーケース１２およびロアケース１３の合わせ面において、分断縦バスバー１４ｃが配置される所要個所には周壁部１２ｄ、１３ｄの両端部間に渉って貫通する溝部１６を形成すると共に、この溝部１６を絶縁板１５の装着スペースとしている。絶縁板１５は、上下面を分断縦バスバー１４ｃに対する受面１５ａ、１５ｂとした格子状の細長い部材からなっている。
【００１３】
アッパーケース１２とロアケース１３において、絶縁板１５の挿通方向に対応する周壁部１２ｄ、１３ｄの対向部分には、アッパーケース１２とロアケース１３が正規の組み合わせ位置にあるとき互いに重なり合う位置関係となるを対向方向に向けて係合部１７、１８を突設している。この係合部１７、１８には絶縁板１５が挿通可能な係止孔１７ａ、１８ａを形成している。
即ち、アッパーケース１２とロアケース１３が正規の組み合わせ位置に組み付けられたとき、係止孔１７ａの下端縁と係止孔１８ａの上端縁との間で形成されるスペースが絶縁板１５の断面に合致するように寸法設定されている。
【００１４】
一方、絶縁板１５の両端方の上下面には、絶縁板１５が両端の係止孔１７ａ、１８ａの間に渉って完全挿入された状態において、係止孔１７ａ、１８ａの口縁部の内外に係合して絶縁板１５を抜け止め状態に保持するための係止突起１５ｃ、１５ｄを突設している。
【００１５】
次に、上記構成からなる電気接続箱１１の組立工程について説明する。
先ず、図２に示すように、アッパーケース１２とロアケース１３の一方の所要位置の隔壁１２ａ、１３ａにオスタブ１４ａ、１４ｂを挿入するようにして縦バスバー１４の一端を装着する。
続いてアッパーケース１２とロアケース１３を組み合わせると同時に、一方に一端が挿入された縦バスバー１４の他端を他方の隔壁１２ａ、１３ａに挿入するようにして図３に示すように、正規の組み合わせ位置で合体させる（図５（Ａ）（Ｂ）。このとき、アッパーケース１２とロアケース１３との間に装着された縦バスバー１４のうち分断縦バスバー１４ｃは上下に装着された状態で溝部１６を介して離間しており、アッパーケース１２とロアケース１３の係合部１７、１８は互いに重なり合った状態となる。
【００１６】
上記した状態から係合部１７、１８の係止孔１７ａ、１８ａの一方から絶縁板１５を挿通すると共に、図４に示すように、溝部１６を通して他方の係止孔１７ａ、１８ａを先端部が貫通するまで押し込む。このとき、絶縁板１５に突設された係止突起１５ｃ、１５ｄは、係止孔１７ａ、１８ａを弾性的に拡開させながら無理入れ状態で通過する。そして、絶縁板１５の押し込みが完了した時点で、絶縁板１５の係止突起１５ｃ、１５ｄが両端の係合部１７、１８における係止孔１７ａ、１８ａの口縁部に係合する。このため、アッパーケース１２、ロアケース１３に対する絶縁板１５の押し込み位置が固定されると同時に、係止孔１７ａ、１８ａに対する絶縁板１５の挿入によってアッパーケース１２とロアケース１３は組み合わされた状態で嵌合固定される。
【００１７】
上記のように、アッパーケース１２とロアケース１３とは、係止孔１７ａ、１８ａを通して挿入される絶縁板１５を介して嵌合固定しているため、絶縁板１５を装着しなければアッパーケース１２とロアケース１３との固定を行うことができない。
【００１８】
なお、上記実施形態において、絶縁板１５として棒状のものを示したが、分断縦バスバー１４ｃの配置、範囲に対応して、平板状、櫛状等その形状は任意に設定可能である。また、アッパーケース１２およびロアケース１３の係合部１７、１８に対する絶縁板１５の固定手段としては、係止突起１５ｃ、１５ｄの無理入れによるものに限らず、片持ち梁状の弾性ロック片やその他の係止手段を用いることができる。
【００１９】
【発明の効果】
以上の説明より明らかなように、本発明の電気接続箱によれば、アッパーケースとロアケースとを組み合わせて電気接続箱を組み立てるに際し、両者間に介在される絶縁板が両者の嵌合固定のための部材として機能するので、組立時における絶縁板の装着忘れを確実に防止できる。また、絶縁板の装着とアッパーケースとロアケースとの固定機能を同時に発揮できるので、構造の簡素化と組立時の操作性の向上を図ることができる。
【図面の簡単な説明】
【図１】本発明の電気接続箱の実施形態を示し、（Ａ）は平面図、（Ｂ）は正面図である。
【図２】図１（Ａ）のＸ−Ｘ断面の分解図である。
【図３】アッパーケースとロアケースとを組み合わせた状態において、絶縁板の挿入前の状態を示す断面図である。
【図４】絶縁板を挿入した状態の断面図である。
【図５】（Ａ）はアッパーケースとロアケースを組み合わせる前の要部の拡大断面図、（Ｂ）はアッパーケースとロアケースを組み合わせて絶縁板を挿入した状態の要部の拡大断面図である。
【図６】従来例を示し、（Ａ）は電気接続箱の断面図、（Ｂ）は縦バスバーを示す図である。
【図７】従来例のアッパーケースとロアケースの組み合わせ前の状態を示す断面図である。
【図８】従来例のアッパーケース、ロアケース、絶縁板の組み合わせ状態を示す断面図である。
【符号の説明】
１１　電気接続箱
１２　アッパーケース
１２ｂ、１３ｂ　接続部
１３　ロアケース
１４　縦バスバー
１４ｃ　分断縦バスバー
１５　絶縁板
１５ｃ、１５ｄ　係止突起
１７、１８　係合部
１７ａ、１８ａ　係止孔
【図１】
2004023893.tif 000003
【図２】
2004023893.tif 000004
【図３】
2004023893.tif 000005
【図４】
2004023893.tif 000006
【図５】
2004023893.tif 000007
【図６】
2004023893.tif 000008
【図７】
2004023893.tif 000009
【図８】
2004023893.tif 000010